(57)【要約】【課題】自動販売機の据付時にレベリングスクリュの自動販売機底面より引き出された寸法が、引き出し範囲以内かどうか容易に確認できることを図る。【解決手段】据付時において、この部分まで自動販売機底面５から下方に引き出すと安全上問題のあるという引き出し不可範囲ｈ´の部分を、引き出し範囲ｈの表面色調と区別した色調の塗料を塗布して色別部６として構成することにより、６が外観上露見していなければ、引出し範囲ｈ以内であることが一見するだけで確認できるようにする。【選択図】図１
2005099986.tif 000002
【特許請求の範囲】
【請求項１】
機器の据付時に据付面との水平度を出すための高さを、ねじ式で回転させることによって高さを調節可能なレベリングスクリュにおいて、機器の底面より引き出し可能範囲と引き出し不可範囲とを前記レベリングスクリュに色別表示したことを特徴とする機器の水平調整装置。
【請求項２】
色別のための色別部が樹脂潤滑剤を塗料化して塗布したことを特徴とする請求項１に記載の機器の水平調整装置。
【請求項３】
樹脂潤滑剤は二硫化モリブデン系潤滑剤を用いたことを特徴とする請求項２に記載の機器の水平調整装置。
【請求項４】
樹脂潤滑剤はフッ素樹脂系潤滑剤を用いたことを特徴とする請求項２に記載の機器の水平調整装置。
【請求項５】
前記レベリングスクリュは、機器底面より引き出し可能範囲はフッ素樹脂系潤滑剤を塗布し、引き出し不可範囲は引き出し可能範囲と異なる色調の二硫化モリブデン系潤滑剤を塗布することで色別表示を行ったこと特徴とする請求項１に記載の機器の水平調整装置。
【発明の詳細な説明】
【技術分野】
【０００１】
この発明は、床や通路に設置される機器、たとえば自動販売機の水平や高さの調節に用いられるレベリングスクリュに関する。
【背景技術】
【０００２】
据付時に据付面との水平度を出すための高さを、ねじ式で回転させることによって高さを調節可能なレベリングスクリュを用いた従来の機器の水平調整装置を、一例として図７、に示す。通路や床に設置する自動販売機１の据付面２は、どこも水平であるとは限らないため、一般に自動販売機１の下部四隅に高さ調整部品であるレベリングスクリュ３を回転部３ｋと一体のスクリュ軸３１にて設け、回転部３ｋを回すことによって自動販売機１の水平度を、時には高さを調整していた。
【０００３】
また高さ調節作業においては、自動販売機１の重量がかかっている状態でスクリュ軸３１を回すことは非常な労力が必要であった。そのため、自動販売機１を容易に水平にするために、できる限り少ない力で自動販売機１の高さを調節できるもの（例えば、特許文献１参照）がある。
【０００４】
この自動販売機１は、図８で自動販売機１の高さ調整部品としてスクリュ軸３１に代えて、スクリュ軸３２と足３３を設け、このスクリュ軸３２と足３３間に複数の球４を設けて転がり軸受けとする。この構造によるとスクリュ軸３２の回転力は転がり軸受けの球４の効果によって自動販売機１とスクリュ軸３２のネジ結合部を回転させるトルクだけで良く、図７のトルクの半分になり、自動販売機１の高さ調整の労力を低減可能になる。
【特許文献１】特開平１０−１６２２２４号公報
【発明の開示】
【発明が解決しようとする課題】
【０００５】
近年、自動販売機の据付において、レベリングスクリュを過剰に伸ばして設置される場合があり、据付安全上問題があると認識されている。この対応として、レベリングスクリュを自動販売機底面より引き出す寸法範囲を注意文書として自動販売機に添付または同梱することにより、自動販売機の設置作業者などに対して、据付安全の周知を図っている。
【０００６】
上述の従来の自動販売機の例では、自動販売機据付時のレベリングスクリュの自動販売機底面から引き出された寸法が、注意文書に記載されている寸法範囲以内かどうかは実測して確認するため、確認作業が面倒であり、誤差も生じる可能性も有していた。
【０００７】
また、レベリングスクリュ自身としても複数部材の構成であるため、サービスや廃棄時に作業に複雑さを与えていた。
【０００８】
この発明の課題は、機器の水平調整装置の据付時にレベリングスクリュの機器の水平調整装置底面より引き出された寸法が引き出し範囲以内かどうか容易に確認できる機器の水平調整装置を提供することを目的とする。
【課題を解決するための手段】
【０００９】
上記従来の課題を解決するため、本発明の機器の水平調整装置は、据付時に据付面との水平度を出すための高さを、ねじ式で回転させることによって高さを調節可能なレベリングスクリュを用いた機器の水平調整装置において、レベリングスクリュの機器の水平調整装置底面より引き出し可能範囲と引き出し不可範囲とを色別したことによって、レベリングスクリュが機器の水平調整装置底面より引き出された寸法について、引き出し可能範囲以内かどうか容易に確認できる。
【００１０】
また本発明の機器の水平調整装置は、色別のための着色部が樹脂潤滑剤を塗料化して塗布したことによって、レベリングスクリュの機器の水平調整装置底面より引き出された寸法が引き出し範囲以内かどうか容易に確認できるとともに、レベリングスクリュをねじ式で回転させる作業の労力を低減できる。
【発明の効果】
【００１１】
本発明の機器の水平調整装置は、機器の水平調整装置の据付時にレベリングスクリュの機器の水平調整装置底面より引き出された寸法が引き出し範囲以内かどうか容易に確認できる。
【００１２】
また、本発明の機器の水平調整装置は、色別のための着色部が樹脂潤滑剤を塗料化して塗布したので、レベリングスクリュをねじ式で回転させる作業の労力を低減できる。
【発明を実施するための最良の形態】
【００１３】
請求項１に記載の発明は、据付時に据付面との水平度を出すための高さを、ねじ式で回転させることによって高さを調節可能なレベリングスクリュを用いた機器の水平調整装置において、レベリングスクリュの機器の水平調整装置底面より引き出し可能範囲と引き出し不可範囲とを色別したことによって、レベリングスクリュが機器の水平調整装置底面より引き出された寸法について、引き出し可能範囲以内かどうか容易に確認できる。
【００１４】
請求項２に記載の発明は、色別のための着色部が樹脂潤滑剤を塗料化して塗布したことによって、レベリングスクリュの機器の水平調整装置底面より引き出された寸法が引き出し範囲以内かどうか容易に確認できるとともに、レベリングスクリュをねじ式で回転させる作業の労力を低減できる。
【００１５】
請求項３にかかる発明は、請求項２に記載の発明の機器の水平調整装置において、樹脂潤滑剤は二硫化モリブデン系潤滑剤を用いたことによって、レベリングスクリュの機器の水平調整装置底面より引き出された寸法が引き出し範囲以内かどうか容易に確認できるとともに、高荷重になっても潤滑性を維持するので特には大型の機器の水平調整装置においてもレベリングスクリュをねじ式で回転させる作業の労力を低減できる。
【００１６】
請求項４にかかる発明は、請求項２記載の発明において、樹脂潤滑剤はフッ素樹脂系潤滑剤を用いたことによって、レベリングスクリュの機器の水平調整装置底面より引き出された寸法が引き出し範囲以内かどうか容易に確認できるとともに、色調の自由度も高いので美観的外観性良好で外観を向上させながら、レベリングスクリュをねじ式で回転させる作業の労力を低減できる。
【００１７】
請求項５にかかる発明は、請求項１記載の発明において、レベリングスクリュの機器の水平調整装置底面より引き出し範囲はフッ素樹脂系潤滑剤を塗布し、機器の水平調整装置底面より引き出し不可範囲では、引き出し範囲と異なる色調の二硫化モリブデン系潤滑剤を塗布したことによってレベリングスクリュの機器の水平調整装置底面より引き出された寸法が引き出し範囲以内かどうか容易に確認できるとともに、機器の水平調整装置底面より引き出し範囲は色調の自由度も高いので機器の水平調整装置として美観的外観性良好で防錆性を向上させ、機器の水平調整装置底面より引き出し不可範囲においては、高負荷になっても潤滑性を維持するので特には大型の機器の水平調整装置においてもレベリングスクリュをねじ式で回転させる作業の労力を低減できる。
【００１８】
以下本発明の実施の形態について、図面を参照しながら説明する。なお、この実施の形態によってこの発明が限定させられるものではない。
【００１９】
（実施の形態１）
以下,本発明の第１の実施の形態を図１から図２を参照しながら説明する。なお、本発明の図示の実施形態において、図７から図８に示す従来の機器の水平調整装置と構成が重複する部分は同一符号を用いて説明する。
【００２０】
本実施の形態における機器の水平調整装置については主に自動販売機を例として、説明する。
【００２１】
本発明に係る機器の水平調整装置は、自動販売機を据付時に使用するレベリングスクリュ３には、据付時において機器の水平調整装置底面５から下方に引き出しても安全上問題のない引出し範囲ｈ２と、この部分まで自動販売機底面５から下方に引き出すと安全上問題のある引き出し不可範囲ｈ３とがあるが、このレベリングスクリュ３表面には、引き出し不可範囲ｈ３の部分を、引き出し範囲ｈ２の表面色調と区別した色調の塗料を塗布して色別部６として構成している。
【００２２】
以上のように構成された自動販売機１の据付時には、レベリングスクリュ３が自動販売機底面５から外に色別部６が外観上露見していなければ、据付安全上問題のない引出し範囲ｈ２以内であることが一見するだけで確認できるので、特に寸法を実測する必要はない。
【００２３】
ここでは色別部６を塗料を塗布して構成したが、例えばメッキの色調など表面処理による色調の区別を施してもかまわない。また、ここでは引き出し不可範囲ｈ３の部分に色別部６を構成したが、引き出し範囲ｈ２に着色部６を構成してもかまわない。
【００２４】
（実施の形態２）
次に、本発明の第２の実施の形態を図２と図３を参照しながら説明する。
【００２５】
本発明に係る自動販売機も、据付時に使用するレベリングスクリュ３の表面には、引き出し不可範囲ｈ３の部分を、引き出し範囲ｈ２の表面色調と区別した色調の樹脂潤滑剤を塗料化して塗布することにより色別部６として構成している。自動販売機１の据付時には据付面２との関係においては、ねじ式のレベリングスクリュ３の回転部３ｋを回すことによってナット部７とのかかり代寸法ｈ１を調節することによって、自動販売機１の水平度を、時には高さを調整する。
【００２６】
以上のように構成された自動販売機１の据付時には、レベリングスクリュ３が自動販売機底面５から外に色別部６が外観上露見していなければ、据付安全上問題のない引出し範囲ｈ２以内であることが一見するだけで確認できるので、特に寸法を実測する必要はない。
【００２７】
また、レベリングスクリュ３の表面のうち色別部６の部分は樹脂潤滑剤を塗料化して塗布されているためナット７との摩擦が低減されるので、単純な部品構成で回転部３ｋを回す作業負荷も低減するのに加えて、サービスや廃棄時に作業に複雑さを与えない。
【００２８】
（実施の形態３）
次に、本発明の第３の実施の形態を、ここでも図２と図３を参照しながら説明する。
【００２９】
本発明に係る自動販売機も、据付時に使用するレベリングスクリュ３の表面には、引き出し不可範囲ｈ３の部分を、引き出し範囲ｈ２の表面色調と区別した樹脂潤滑剤として二硫化モリブデン系潤滑剤を塗布することにより色別部６として構成している。自動販売機１の据付時には据付面２との関係においては、ねじ式のレベリングスクリュ３の回転部３ｋを回すことによってナット部７とのかかり代寸法ｈ１を調節することによって、自動販売機１の水平度を、時には高さを調整する。
【００３０】
以上のように構成された自動販売機１の据付時には、レベリングスクリュ３が自動販売機底面５から外に色別部６が外観上露見していなければ、据付安全上問題のない引出し範囲ｈ２以内であることが一見するだけで確認できるので、特に寸法を実測する必要はない。
【００３１】
また、レベリングスクリュ３の表面のうち色別部６の部分は樹脂潤滑剤として二硫化モリブデン系潤滑剤を塗布されている。この二硫化モリブデン系潤滑剤の特長としては、高荷重になっても潤滑性を維持することが知られており、特には大型の自動販売機においてもレベリングスクリュ３をねじ式で回転させる作業労力を低減できる。このようにレベリングスクリュ３の表面のうち色別部６の部分は二硫化モリブデン系潤滑剤を塗布されていることにより、単純な部品構成で大型の自動販売機１においてもナット７との摩擦が低減されるので、回転部３ｋを回す作業負荷も低減するのに加えて、サービスや廃棄時に作業に複雑さを与えない。
【００３２】
（実施の形態４）
次に、本発明の第４の実施の形態を、図４と図５を参照しながら説明する。
【００３３】
本発明に係る自動販売機は、据付時には図４に示すレベリングスクリュ３を使用する。
ここでのレベリングスクリュ３の表面には、引き出し範囲ｈ２の部分を、引き出し不可範囲ｈ３の表面色調と区別した樹脂潤滑剤としてフッ素樹脂系潤滑剤を塗布することにより色別部８として構成している。自動販売機１の据付時には据付面２との関係においては、ねじ式のレベリングスクリュ３の回転部３ｋを回すことによってナット部７とのかかり代寸法ｈ１を調節することによって、自動販売機１の水平度を、時には高さを調整する。
【００３４】
以上のように構成された自動販売機１の据付時には、レベリングスクリュ３が自動販売機底面５から外に着色部８が外観上露見していれば、据付安全上問題のない引出し範囲ｈ２以内であることが一見するだけで確認できるので、特に寸法を実測する必要はない。
【００３５】
また、レベリングスクリュ３の表面のうち色別部８の部分は樹脂潤滑剤としてフッ素樹脂系潤滑剤を塗布されている。このフッ素樹脂系潤滑剤の特長としては、色調の自由度も高いので、例えば据付面２の色調との調和を保つことも可能で、美観的外観性良好で外観を向上させる。さらに、レベリングスクリュ３をねじ式で回転させる力については、色別部８の部分とナット部７とのかかり代寸法ｈ１が大きくなる方向の作業労力を低減できる。このことは、据付安全上望ましい方向の作業についてナット７との摩擦が低減されるために回転部３ｋを回す作業負荷も低減するので、かかり代ｈ１を大きくすることに対する作業者の心理的抵抗感も無くし、それに加えて単純な部品構成であるため、サービスや廃棄時に作業に複雑さを与えない。
【００３６】
（実施の形態５）
次に、本発明の第５の実施の形態を、図６を参照しながら説明する。
【００３７】
本発明に係る自動販売機は、据付時に使用するレベリングスクリュ３の表面には、引き出し範囲ｈ２の部分に樹脂潤滑剤として二硫化モリブデン系潤滑剤を塗布して第１の色別部９を構成し、引き出し不可範囲ｈ３の部分には第１の色別部９の色調と区別した色調の樹脂潤滑剤としてフッ素樹脂系潤滑剤を塗布して第２の色別部１０とを構成している。ここで、第１の色別部９の部分と第２の色別部１０とは連続で途切れなく構成されている。
【００３８】
自動販売機１の据付時には据付面２との関係においては、ねじ式のレベリングスクリュ３の回転部３ｋを回すことによってナット部７とのかかり代寸法ｈ１を調節することによって、自動販売機１の水平度を、時には高さを調整する。
【００３９】
以上のように構成された自動販売機１の据付時には、レベリングスクリュ３が自動販売機底面５から外に第２の着色部１０が外観上露見していれば、据付安全上問題のない引出し範囲ｈ２以内であることが一見するだけで確認できるので、特に寸法を実測する必要はない。
【００４０】
また、レベリングスクリュ３の表面のうち第１の色別部９は樹脂潤滑剤として二硫化モリブデン系潤滑剤を塗布されているので高荷重になっても潤滑性を維持し、一方、レベリングスクリュ３の表面のうち第２の色別部１０の部分は樹脂潤滑剤としてフッ素樹脂系潤滑剤を塗布されているため色調の自由度も高いので、例えば据付面２の色調との調和を保つことも可能で、美観的外観性良好で外観を向上させる。
【００４１】
さらに、第１の色別部９の部分と第２の色別部１０とは連続で途切れなく構成されているので、レベリングスクリュ３表面が全体的かつ連続的に樹脂潤滑剤が塗布されていることになる。したがって、回転部３ｋを回す作業負荷はかかり代ｈ１が減少する作業時であっても第１の色別部９の部分もフッ素樹脂系潤滑剤を塗布されているので低減され、かかり代ｈ１が増大する作業時では二硫化モリブデン系潤滑剤を塗布あるので高荷重になっても潤滑性を維持する特長により低減される。それに加えて単純な部品構成であるため、サービスや廃棄時に作業に複雑さを与えない。
【産業上の利用可能性】
【００４２】
以上のように、本発明にかかる機器の水平調整装置は、機器の水平調整装置の据付時にレベリングスクリュの機器の水平調整装置底面より引き出された寸法が引き出し範囲以内かどうか容易に確認できるので、自動販売機以外にも、高さ調整を脚部分で行なう機器にも適用できる。
【図面の簡単な説明】
【００４３】
【図１】本発明の実施の形態１における機器の水平調整装置の断面図
【図２】本発明の実施の形態１における機器の水平調整装置のレベリングスクリュを示す正面図
【図３】本発明の実施の形態２および実施の形態３における機器の水平調整装置の断面図
【図４】本発明の実施の形態４における機器の水平調整装置のレベリングスクリュを示す正面図
【図５】本発明の実施の形態４における機器の水平調整装置の断面図
【図６】本発明の実施の形態５にかかる機器の水平調整装置の断面図
【図７】従来の機器の水平調整装置のレベリングスクリュの断面図
【図８】従来の機器の水平調整装置のレベリングスクリュの断面図
【符号の説明】
【００４４】
３    レベリングスクリュ
６    色別部
８    色別部
ｈ２    引き出し範囲
ｈ３    引き出し不可範囲
【図１】
2005099986.tif 000003
【図２】
2005099986.tif 000004
【図３】
2005099986.tif 000005
【図４】
2005099986.tif 000006
【図５】
2005099986.tif 000007
【図６】
2005099986.tif 000008
【図７】
2005099986.tif 000009
【図８】
2005099986.tif 000010